(57)【要約】【課題】高圧引下線縁線切断・接続作業におけるスリーブ圧縮作業を容易に行うことができる高圧引下線縁線仮支持具を提供する。【解決手段】線縁線仮支持具１０は、操作棒５０の上端部に取り付けられたかつ非充電側の高圧引下線縁線２を把持するための支持アダプタ２０と、充電側の高圧引下線縁線２を把持するための支持クリップ４０と、支持アダプタ２０と共に非充電側の高圧引下線縁線２を把持するための移動体５２が上端面に取り付けられたネジ軸体５１が中心軸に沿って挿入された操作棒５０とを具備する。支持アダプタ２０および支持クリップ４０は、把持された非充電側および充電側の高圧引下線縁線が直線上に位置するように、所定の間隔を持って支持バー３０に取り付けられている。支持クリップ４０はバネ４５によって支持アダプタ２０に向かって付勢されている。【選択図】図１
2014124041.tif 000002
【特許請求の範囲】
【請求項１】
高圧引下線縁線切断・接続作業におけるスリーブ圧縮作業に使用するための高圧引下線縁線仮支持具（１０）であって、
前記スリーブ圧縮作業の際に、高圧引下線縁線切断作業において切断された高圧引下線縁線（２）のうち非充電側の高圧引下線縁線を把持するための支持アダプタ（２０）と、
前記スリーブ圧縮作業の際に、前記高圧引下線縁線切断作業において切断された前記高圧引下線縁線のうち充電側の高圧引下線縁線を把持するための支持クリップ（４０）と、
前記支持アダプタによって把持された前記非充電側の高圧引下線縁線と前記支持クリップによって把持された前記充電側の高圧引下線縁線とが直線上に位置するように該支持アダプタおよび該支持クリップが所定の間隔を持って取り付けられた支持バー（３０）と、
前記支持アダプタと共に前記非充電側の高圧引下線縁線を把持するための移動体（５２）が上端面に取り付けられたネジ軸体（５１）が中心軸に沿って挿入された操作棒（５０）とを具備し、
前記支持アダプタが、該支持アダプタと前記操作棒の上端部との間に前記非充電側の高圧引下線縁線を横切らせるための空間を形成するように、アダプタ取付部材（２１）を介して該操作棒の上端部に取り付けられる、
ことを特徴とする、高圧引下線縁線仮支持具。
【請求項２】
前記支持クリップが、
第１の上端部および第１の下端部からなる、かつ、前記非充電側の高圧引下線縁線を把持するための第１の溝（４１ａ）が該第１の下端部に形成された固定部材（４１）と、
第２の上端部および第２の下端部からなる、かつ、前記固定部材の前記第１の溝と共に前記非充電側の高圧引下線縁線を挟んで把持するための第２の溝（４２ａ）が該第２の上端部に形成された、かつ、該第２の上端部が該固定部材の前記第１の下端部と当接したり該固定部材の該第１の下端部から離れたりするように支持棒（４３）を介して該固定部材の該第１の下端部に取り付けられた可動部材（４２）と、
前記固定部材の前記第１の上端部を貫通して先端部が前記支持バーに取り付けられた、かつ、前記固定部材および前記可動部材を前記支持アダプタに向けて付勢するためのバネ（４５）が末端部と該固定部材の該第１の上端部との間に取り付けられたバネ取付部材（４４）と、
を備えることを特徴とする、請求項１記載の高圧引下線縁線仮支持具。
【請求項３】
前記可動部材が、通常時には該可動部材の前記第２の上端部が前記固定部材の前記第１の下端部と当接し、絶縁ヤットコで該固定部材の該第１の下端部と該可動部材の前記第２の下端部とを挟むと該可動部材の該第２の上端部が該固定部材の該第１の下端部から離れるように、該固定部材の該第１の下端部に取り付けられていることを特徴とする、請求項２記載の高圧引下線縁線仮支持具。
【発明の詳細な説明】
【技術分野】
【０００１】
本発明は、間接活線工法による高圧引下線縁線切断・接続作業におけるスリーブ圧縮作業に使用するのに好適な高圧引下線縁線仮支持具に関する。
【背景技術】
【０００２】
電力会社では、電柱に取り付けられた変圧器４（図５参照）の取替作業などの停電作業を行う場合は、間接活線工法による高圧引下線縁線切断・接続作業を２人の作業者によって以下の作業手順に従って行っている。
（手順１）高所作業車が使用できる場合には、２人の作業者がバケットに乗り、１人の作業員が高圧引下線縁線２（高圧配電線１から変圧器４に至る高圧引下線の高圧配電線１から上部支持碍子３までの高圧引下線上部縁線）の切断箇所を挟んだ両側を２本の絶縁ヤットコ（ホットスティック）で把持して支え、他の１人の作業員が間接活線用カッター（ＰＤカッター）で高圧引下線縁線２を切断する。
（手順２）停電作業が終了すると、他の１人の作業員が、切断された高圧引下線縁線２のうちの非充電側の高圧引下線縁線２（上部支持碍子３側の切断された高圧引下線縁線２）を手で把持して、非充電側の高圧引下線縁線２の先端部の皮剥ぎをしたのち、非充電側の高圧引下線縁線２にスリーブを取り付ける。
（手順３）１人の作業員が、充電側の高圧引下線縁線２（高圧配電線１側の切断された高圧引下線縁線）および非充電側の高圧引下線縁線２の両方を２本の絶縁ヤットコで把持した状態で、他の１人の作業員が、非充電側の高圧引下線縁線２に取り付けたスリーブに充電側の高圧引下線縁線２の先端部を挿入したのち、このスリーブを圧縮して非充電側の高圧引下線縁線２と充電側の高圧引下線縁線２とを接続する。
（手順４）他の１人の作業員が、充電側の高圧引下線縁線２と非充電側の高圧引下線縁線２との接続箇所にカバーを取り付ける。
【０００３】
また、高所作業車が使用できない場所では、作業台などを使用して、２人の作業者が両側から高圧引下線縁線２にアプローチしたのち、上記の作業手順に従って高圧引下線縁線切断・接続作業を行っている。
【０００４】
なお、本出願人は、下記の特許文献１において、円筒状の絶縁棒と、絶縁棒の一方の端部に取り付けられたかつ高圧配電線１を把持するための高圧配電線把持部と、絶縁棒の他方の端部に取り付けられたかつ高圧引下線上部縁線を把持するための縁線把持部とを具備した高圧引下線上部縁線支持具を提案している。
【先行技術文献】
【特許文献】
【０００５】
【特許文献１】特開２０１１−１０５２７号公報
【発明の概要】
【発明が解決しようとする課題】
【０００６】
しかしながら、高圧引下線縁線２は直径３．２ｍｍと細く被覆を含めても直径約１ｃｍにも満たず風の影響などで揺れたりすることから、上記の手順３において、空中に不安定な状態にある高圧引下線縁線２を安定させるために「１人の作業員が２本の絶縁ヤットコで充電側および非充電側の高圧引下線縁線２を支える」という作業は容易でないという問題があるとともに、他の１人の作業員は、非充電側の高圧引下線縁線２へはスリーブを手で取り付けることができるが、非充電側の高圧引下線縁線２に取り付けたスリーブへの充電側の高圧引下線縁線２の先端部の挿入およびスリーブの圧縮は手では行えないため、高圧引下線縁線２が揺れたりすると、スリーブが落下したりスリーブを圧縮するのに手間が掛ったりするという問題があった。
【０００７】
本発明の目的は、高圧引下線縁線切断・接続作業におけるスリーブ圧縮作業を容易に行うことができる高圧引下線縁線仮支持具を提供することにある。
【課題を解決するための手段】
【０００８】
本発明の高圧引下線縁線仮支持具は、高圧引下線縁線切断・接続作業におけるスリーブ圧縮作業に使用するための高圧引下線縁線仮支持具（１０）であって、前記スリーブ圧縮作業の際に、高圧引下線縁線切断作業において切断された高圧引下線縁線（２）のうち非充電側の高圧引下線縁線を把持するための支持アダプタ（２０）と、前記スリーブ圧縮作業の際に、前記高圧引下線縁線切断作業において切断された前記高圧引下線縁線のうち充電側の高圧引下線縁線を把持するための支持クリップ（４０）と、前記支持アダプタによって把持された前記非充電側の高圧引下線縁線と前記支持クリップによって把持された前記充電側の高圧引下線縁線とが直線上に位置するように該支持アダプタおよび該支持クリップが所定の間隔を持って取り付けられた支持バー（３０）と、前記支持アダプタと共に前記非充電側の高圧引下線縁線を把持するための移動体（５２）が上端面に取り付けられたネジ軸体（５１）が中心軸に沿って挿入された操作棒（５０）とを具備し、前記支持アダプタが、該支持アダプタと前記操作棒の上端部との間に前記非充電側の高圧引下線縁線を横切らせるための空間を形成するように、アダプタ取付部材（２１）を介して該操作棒の上端部に取り付けられることを特徴とする。
ここで、前記支持クリップが、第１の上端部および第１の下端部からなる、かつ、前記非充電側の高圧引下線縁線を把持するための第１の溝（４１ａ）が該第１の下端部に形成された固定部材（４１）と、第２の上端部および第２の下端部からなる、かつ、前記固定部材の前記第１の溝と共に前記非充電側の高圧引下線縁線を挟んで把持するための第２の溝（４２ａ）が該第２の上端部に形成された、かつ、該第２の上端部が該固定部材の前記第１の下端部と当接したり該固定部材の該第１の下端部から離れたりするように支持棒（４３）を介して該固定部材の該第１の下端部に取り付けられた可動部材（４２）と、前記固定部材の前記第１の上端部を貫通して先端部が前記支持バーに取り付けられた、かつ、前記固定部材および前記可動部材を前記支持アダプタに向けて付勢するためのバネ（４５）が末端部と該固定部材の該第１の上端部との間に取り付けられたバネ取付部材（４４）とを備えてもよい。
前記可動部材が、通常時には該可動部材の前記第２の上端部が前記固定部材の前記第１の下端部と当接し、絶縁ヤットコで該固定部材の該第１の下端部と該可動部材の前記第２の下端部とを挟むと該可動部材の該第２の上端部が該固定部材の該第１の下端部から離れるように、該固定部材の該第１の下端部に取り付けられていてもよい。
【発明の効果】
【０００９】
本発明の高圧引下線縁線仮支持具は、以下に示す効果を奏する。
（１）高圧引下線縁線の接続箇所を挟んだ両側を支持アダプタおよび支持クリップで把持することができるため、高圧引下線縁線の接続箇所を挟んだ両側を１人の作業員が片手で把持することができる。
（２）支持クリップの固定部材および可動部材をバネによって支持アダプタに向けて付勢させて充電側の高圧引下線縁線がスリーブ挿入後に抜け落ちないようにすることができるため、他の１人の作業員はスリーブ圧縮作業を落ち着いて容易に行うことができる。
【図面の簡単な説明】
【００１０】
【図１】本発明の一実施例による縁線仮支持具１０の構成を示す図であり、（ａ）は縁線仮支持具１０の上面図であり、（ｂ）は縁線仮支持具１０の正面図である。
【図２】図１に示した支持アダプタ２０の構成などについて説明するための図である。
【図３】図１に示した支持クリップ４０の構成を示す図であり、（ａ）は可動部材４２の上端部を開いた状態を示す右側面図であり、（ｂ）は可動部材４２の上端部を閉じた状態を示す右側面図である。
【図４】図１に示した縁線仮支持具１０の使用方法について説明するための図である。
【図５】間接活線工法による高圧引下線縁線切断・接続作業について説明するための図である。
【発明を実施するための形態】
【００１１】
上記の目的を、スリーブ圧縮作業の際に非充電側の高圧引下線縁線と充電側の高圧引下線縁線とが直線上に位置するように、操作棒の上端部に取り付けられた支持アダプタによって非充電側の高圧引下線縁線を把持するともに、支持アダプタと所定の間隔を持って支持バーを介して取り付けられた支持クリップによって充電側の高圧引下線縁線を把持することにより実現した。
【実施例１】
【００１２】
以下、本発明の高圧引下線縁線仮支持具の実施例について図面を参照して説明する。
本発明の一実施例による高圧引下線縁線仮支持具１０（以下、「縁線仮支持具１０」と称する）は、図１（ａ），（ｂ）に示すように、支持アダプタ２０と、支持バー３０と、支持クリップ４０と、操作棒５０（トング）とを具備する。
【００１３】
ここで、支持アダプタ２０は、高圧引下線縁線切断作業において切断された高圧引下線縁線２のうち非充電側の高圧引下線縁線２を１人の作業員がスリーブ圧縮作業時に把持するためのものであり、絶縁性を持たせるために硬化性プラスチックで構成されている。
【００１４】
また、支持アダプタ２０は操作棒５０の移動体５２と共に非充電側の高圧引下線縁線２を挟んで支持アダプタ２０を横切らせて把持するものであるため、図２に示すように、支持アダプタ２０の底面の中央部には、非充電側の高圧引下線縁線２を把持するための横断面形状（支持アダプタ２０の側面側から見た断面形状）が半円状の溝が支持アダプタ２０の左側面から右側面まで形成されているとともに、操作棒５０の移動体５２の上面には、非充電側の高圧引下線縁線２を把持するための横断面形状が逆三角形状の溝が移動体５２の左側面から右側面まで形成されている。
【００１５】
操作棒５０内には、図１（ｂ）および図２に示すように上端面（先端面）に移動体５２が取り付けられたネジ軸体５１が、操作棒５０の中心軸に沿って挿入（配設）されている。
これにより、１人の作業員は、ネジ軸体５１を回転させて図２に矢印で示すように移動体５２を上下させることにより、非充電側の高圧引下線縁線２を把持したり把持を解除したりすることができる。
【００１６】
このように支持アダプタ２０は操作棒５０の上端部に取り付けられて使用されるが、支持アダプタ２０と操作棒５０の上端部との間に非充電側の高圧引下線縁線２を横切らせるための空間を形成するために、図１（ｂ）および図２に示すようにアダプタ取付部材２１を介して取り付けられている。
【００１７】
アダプタ取付部材２１は、下端部が操作棒５０の上端部に取り付けられているとともに、上端部が支持アダプタ２０内に挿入されて支持アダプタ２０の上面および後面にネジ止めされている。
そのため、支持アダプタ２０の底面は平面状にされているのに対して支持アダプタ２０の上面は半球面状にされ、支持アダプタ２０の内部は空洞にされているとともに、支持アダプタ２０の後面部は支持アダプタ２０の前面部および中央部の底面よりも下方に突き出ている。また、アダプタ取付部材２１の上端部および下端部は、操作棒５０のネジ軸体５１の操作棒５０から露出した部分および移動体５２よりも後側に位置された連結部によって連結されている。
【００１８】
支持バー３０は、ロープや紐などでは圧縮工具に絡まったり高圧引下線縁線２と一緒に圧縮してしまったりする恐れがあるため、また、作業スペースを確保するため、図１（ａ）に示すように左右側板が本体板の左右端にそれぞれ一体的に取り付けられた「コ」の字状の板状部材から構成されている。
支持バー３０の左側板の先端部は、図２に示すように円板状の形状をしており、支持アダプタ２０の右側面に支持棒３１を中心に回転自在に取り付けられている。また、スリーブ圧縮作業においてスリーブ５（図４（ａ）参照）の挿入状況を確実に見易くするために、支持バー３０の右側板の先端部は支持クリップ４０のバネ取付部材４４（図４（ａ）参照）の先端部にバネ取付部材４４を中心に回転自在に取り付けられている。
支持バー３０の本体板の長さは２０ｃｍ程度であり、支持バー３０の左右側板の長さは１０ｃｍ程度である。
【００１９】
支持クリップ４０は、図３（ａ），（ｂ）に示すように、固定部材４１と、可動部材４２と、支持棒４３と、バネ取付部材４４と、バネ４５（図４（ａ）参照）とを備える。
【００２０】
固定部材４１は、上端部および下端部からなり、側面側から見ると逆Ｌ字状の板状の部材からなる。
固定部材４１の下端部の中央部の左右両端部の表面側（図３（ａ），（ｂ）図示左側の面）には、支持棒４３の左右端部を固定するための半円状の凸部が一体的に形成されている。また、固定部材４１の下端部の凸部の上方には、図３（ｂ）に示すように可動部材４２の溝４２ａ（横断面形状が半円状である。）と共に高圧引下線縁線２を把持するための溝４１ａ（横断面形状が半円状である。）が左側面から右側面まで形成されている。
固定部材４１の上端部の中央部には、バネ取付部材４４を貫通させるための貫通孔が左側面から右側面まで形成されている。
【００２１】
可動部材４２は、上端部および下端部からなり、側面側から見ると「く」の字状の板状の部材からなる。
可動部材４２の下端部の表面（固定部材４１の下端部と反対側の面）は、絶縁ヤットコで固定部材４１の下端部と可動部材４２の下端部とを挟む際に絶縁ヤットコが滑らないように、凹凸面とされている。また、可動部材４２の上端部の裏面の中央部には、上述したように固定部材４１の溝４１ａと共に高圧引下線縁線２を把持するための溝４２ａが左側面から右側面まで形成されている。さらに、可動部材４２の裏面の中央部は、通常時は可動部材４２を閉状態（可動部材４２の上端部の裏面が固定部材４１の下端部の表面と当接した状態）に付勢するための付勢部材（たとえば、支持棒４３の中央部に巻き付けられた巻回部および巻回部の両端から末広がりに拡開させて延びたかつ可動部材４２の上端部および固定部材４１の対向面側に押し当てられた一対の線状部を備えたねじりバネ）が取り付けられた支持棒４３によって回転自在に支持されている。
これにより、絶縁ヤットコで固定部材４１の下端部と可動部材４２の下端部とを挟んで可動部材４２を開状態（可動部材４２の上端部の裏面が固定部材４１の下端部の表面から離れた状態）にして高圧引下線縁線２を可動部材４２の上端部と固定部材４１の下端部との間を通したのち、絶縁ヤットコを開放して可動部材４２を閉状態にすれば、高圧引下線縁線２を固定部材４１の溝４１ａと可動部材４２の溝４２ａとで挟んで把持することができる。
【００２２】
なお、高圧引下線縁線２を把持したのちに絶縁ヤットコで可動部材４２の下端部と固定部材４１の下端部とを挟み易くするために、可動部材４２を開状態にしたときには固定部材４１の下端部の下面が可動部材４２の下端部の下面よりも下方に位置するようにされている。
【００２３】
支持アダプタ２０および支持クリップ４０は、高圧引下線縁線２を支持バー３０の本体板の長手方向に平行に直線的に把持するように支持バー３０の左右側板に取り付けられている。
これにより、スリーブ圧縮作業の際に非充電側の高圧引下線縁線２と充電側の高圧引下線縁線２とが直線上に位置するように、支持アダプタ２０によって非充電側の高圧引下線縁線２を把持するともに支持クリップ４０によって充電側の高圧引下線縁線２を把持することができる。
【００２４】
バネ４５（圧縮バネ）は、バネ取付部材４４（長さが１０ｃｍ程度）に、バネ取付部材４４の末端部と固定部材４１との間に取り付けられている。
これにより、固定部材４１および可動部材４２は、通常時にはバネ４５によって支持アダプタ２０に向かって付勢されているが、固定部材４１または高圧引下線縁線２をバネ４５の付勢力に抗して移動させることにより支持アダプタ２０と反対側に移動できるようにされている。
【００２５】
次に、本実施例による縁線仮支持具１０を用いた高圧引下線縁線切断・接続作業におけるスリーブ圧縮作業の手順について、図４（ａ）〜（ｃ）を参照して説明する。
停電作業が終了すると、作業員は、切断した高圧引下線縁線２の非充電側（上部支持碍子３側）の高圧引下線縁線２を切断時の位置まで戻し、この高圧引下線縁線２を縁線仮支持具１０の支持アダプタ２０によって把持し、この高圧引下線縁線２の先端部の皮剥ぎをしたのち、図４（ａ）に示すようにこの高圧引下線縁線２の先端部にスリーブ５を取り付ける。
【００２６】
その後、作業員は、切断した高圧引下線縁線２の充電側（高圧配電線１側）の高圧引下線縁線２を切断時の位置まで戻し、この高圧引下線縁線２を縁線仮支持具１０の支持クリップ４０によって把持したのち、この高圧引下線縁線２の先端部の皮剥ぎをする。
【００２７】
その後、作業員は、図４（ｂ）に示すように、支持クリップ４０を支持アダプタ２０と反対側に約５ｃｍ移動させたのち、非充電側の高圧引下線縁線２を支持クリップ４０側に２〜３ｃｍずらす。
【００２８】
その後、作業員は、図４（ｃ）に示すように、支持クリップ４０を支持アダプタ２０に向かって移動させて、充電側の高圧引下線縁線２の先端部を非充電側の高圧引下線縁線２に取り付けたスリーブ５に挿入する。このとき、充電側の高圧引下線縁線２はバネ４５によって支持アダプタ２０に向かって付勢されているため、非充電側の高圧引下線縁線２がスリーブ５から抜けないようにすることができる。
【００２９】
その後、作業員は、スリーブ５を圧縮して充電側の高圧引下線縁線２と非充電側の高圧引下線縁線２とを接続したのち、高圧引下線縁線２の接続箇所のカバー取付を行う。
【００３０】
その後、作業員は、縁線仮支持具１０の支持アダプタ２０および支持クリップ４０を高圧引下線縁線２から取り外して、作業を終了する。
【符号の説明】
【００３１】
１  高圧配電線
２  高圧引下線縁線
３  上部支持碍子
４  変圧器
５  スリーブ
１０  縁線仮支持具
２０  支持アダプタ
２１  アダプタ取付部材
３０  支持バー
３１  支持棒
４０  支持クリップ
４１  固定部材
４１ａ，４２ａ  溝
４２  可動部材
４３  支持棒
４４  バネ取付部材
４５  バネ
５０  操作棒
５１  ネジ軸体
５２  移動体
【図１】
2014124041.tif 000003
【図２】
2014124041.tif 000004
【図３】
2014124041.tif 000005
【図４】
2014124041.tif 000006
【図５】
2014124041.tif 000007